(57)【特許請求の範囲】
【請求項１】
第１の無線通信方式で通信を行なう第１通信装置と、
前記第１の無線通信方式と使用する周波数帯が重複する第２の無線通信方式で通信を行なう第２通信装置と、
前記第１通信装置を制御する第１制御部と、前記第２通信装置を制御する第２制御部と、を備えた無線通信装置において、
前記第１制御部は、前記第１通信装置が通信を開始する際に、前記第１の無線通信方式で規定されている複数の周波数チャネルから、上端の周波数チャネルを第１優先、下端の周波数チャネルを第２優先、他のチャネルを第３優先の優先順で、前記第１通信装置の使用チャネルを決定するとともに、前記第２制御部に、前記第１通信装置が決定した使用チャネルを通知し、前記第２制御部は、前記第２の無線通信方式で規定されている複数の周波数チャネルのうち前記第１通信装置が決定した使用チャネルの周波数帯域とは重複しない前記第２の無線通信方式の周波数チャネルの電波状態を調査し、その結果に基づいて使用チャネルを決定することを特徴とする無線通信装置。
【請求項２】
第１の無線通信方式で通信を行なう第１通信装置と、
前記第１の無線通信方式と使用する周波数帯が重複する第２の無線通信方式で通信を行なう第２通信装置と、
前記第１通信装置を制御する第１制御部と、前記第２通信装置を制御する第２制御部と、を備えた無線通信装置において、
前記第１制御部は、前記第１通信装置が通信を開始する際に、前記第１の無線通信方式で規定されている複数の周波数チャネルから、上端の周波数チャネルを第１優先、上端から２番目の周波数チャネルを第２優先、下端の周波数チャネルを第３優先、他のチャネルを第４優先の優先順で、前記第１通信装置の使用チャネルを決定するとともに、前記第２制御部に、前記第１通信装置が決定した使用チャネルを通知し、前記第２制御部は、前記第２の無線通信方式で規定されている複数の周波数チャネルのうち前記第１通信装置が決定した使用チャネルの周波数帯域とは重複しない前記第２の無線通信方式の周波数チャネルの電波状態を調査し、その結果に基づいて使用チャネルを決定することを特徴とする無線通信装置。
【請求項３】
請求項１又は２に記載の無線通信装置において、
前記第２制御部は、前記第２通信装置が通信を開始する際に、前記第２通信装置を制御して通信接続を行い、通信接続が完了すると前記第１制御部に前記第２通信装置の通信接続完了を通知し、
前記第２制御部から通信接続完了の通知をうけた前記第１制御部は、前記優先順に従って、前記第１通信装置が使用チャネルを変更するとともに、前記第２制御部に、前記第１通信装置が変更した後の使用チャネルを通知し、前記第２制御部は、前記第２の無線通信方式で規定されている複数の周波数チャネルのうち前記第１通信装置が決定した使用チャネルの周波数帯域とは重複しない前記第２の無線通信方式の周波数チャネルの電波状態を調査し、その結果に基づいて使用チャネルを決定することを特徴とする無線通信装置。
【発明の詳細な説明】
【技術分野】
【０００１】
本発明は、異なる２つの無線通信方式に対応した無線通信装置に関し、特に、それぞれの無線通信方式による通信を同時に行なうことができる無線通信装置に関する。
【背景技術】
【０００２】
近年、ＩＳＭ（Ｉｎｄｕｓｔｒｙ Ｓｃｉｅｎｃｅ Ｍｅｄｉｃａｌ）バンドと呼ばれる周波数帯のなかで、２．４ＧＨｚ帯を用いて電子機器間を無線で接続するための無線通信装置が盛んに開発されている。この種の無線通信装置で用いられる無線通信方式としては、ＩＥＥＥ８０２．１１ｂ／ｇ／ｎや、ブルートゥース（Ｂｌｕｅｔｏｏｔｈ（登録商標））などが知られている。
【０００３】
ブルートゥース対応の無線通信装置（以下、ＢＴ装置）は、２．４０ＧＨｚから２．４８ＧＨｚまでの周波数帯に定められた１ＭＨｚ幅の７９個の周波数チャネルのうちから、１つの周波数チャネルを選択するとともに、時間経過に伴って、周波数チャネルを切換えて無線通信を行う周波数ホッピング方式を採用している。
【０００４】
ＢＴ装置の周波数ホッピング方式は、予め決められた疑似ランダムアルゴリズムに基づいて一定時間間隔で繰り返すように周波数チャネル選択を行い、１つの周波数チャネルに留まっている間の時間（タイムスロット）に１パケットデータを割り当てて通信を行なう。
【０００５】
一方、ＩＥＥＥ８０２．１１ｂ／ｇ／ｎ対応の無線通信装置（以下、ＷＬＡＮ装置）は、２．４０１ＧＨｚ〜２．４９５ＧＨｚまでの周波数帯に定められた２２ＭＨｚ幅の１４個または、２．４０１ＧＨｚ〜２．４８３ＧＨｚまでの周波数帯に定められた２２ＭＨｚ幅の１３個の周波数チャネルの１つを固定的に使用して通信を行なう。
【０００６】
したがって、同じ２．４ＧＨｚ帯を使用して通信するＢＴ装置とＷＬＡＮ装置が、それぞれの無線通信装置の通信エリア内に存在する場合、それぞれの無線装置が送出する電波が干渉し、それぞれの通信が妨害を受けることになる。
【０００７】
特に、ＢＴ装置とＷＬＡＮ装置の双方を備えた無線通信装置や、これらの無線通信方式を併用する無線通信システムでは、この相互干渉による通信品質の劣化を防止する必要がある。
【０００８】
ＢＴ装置とＷＬＡＮ装置の双方を備えた無線通信装置における相互干渉の発生を回避して通信品質の劣化を防止する技術が下記特許文献１に記載されている。
以下、図６を用いて、特許文献１に記載の無線通信装置について説明する。図６は、従来の無線通信装置の構成を示すブロック図である。
【０００９】
特許文献１に記載の無線通信装置は、図６に示すように、ＷＬＡＮ装置９０１と、ＢＴ装置９０２と、ＷＬＡＮ装置９０１で生成された周波数チャネル情報に基づいて、ＢＴ装置９０２が使用可能な周波数チャネルを決定する無線チャネル制御部９０３と、を有しており、ＢＴ装置９０２は、通信品質の劣化を検出した場合、不足帯域または必要帯域を無線チャネル制御部９０３に対して通知し、無線チャネル制御部９０３は、ＢＴ装置９０２から不足帯域または必要帯域の通知を受けた場合には、ＷＬＡＮ装置９０１に対し、使用チャネルの変更を指示する制御を行なう。
【先行技術文献】
【特許文献】
【００１０】
【特許文献１】特開２０１０−２７８７６４号公報
【発明の概要】
【発明が解決しようとする課題】
【００１１】
しかしながら、特許文献１に記載の無線通信装置は、無線チャネル制御部が、ＢＴ装置から不足帯域または必要帯域の通知を受けた場合には、ＷＬＡＮ装置に対し、使用チャネルの変更を指示する制御を行なうので、ＷＬＡＮ装置とＢＴ装置との干渉は避けられるが、使用チャネルの変更の際、ＢＴ装置が使用する周波数チャネルの数を考慮していないため、使用チャネルの変更によってＢＴ装置が周波数ホッピングに使用できる周波数チャネルが減少してしまい、他のＢＴ装置との間で、ＢＴ装置同士の電波干渉が起きる虞があった。
【００１２】
本発明は、上述した課題を解決して、ＷＬＡＮ装置が通信で使用する周波数帯域と、ＢＴ装置が通信で使用する周波数帯域が、重複して設定されている周波数チャネルを、効率よく共存して使用し、ＢＴ装置が周波数ホッピングに使用可能な周波数チャネル数を最大限確保することができる無線通信装置を提供することを目的とする。
【課題を解決するための手段】
【００１３】
この課題を解決するために、第１の無線通信方式で通信を行なう第１通信装置と、前記第１の無線通信方式と使用する周波数帯が重複する第２の無線通信方式で通信を行なう第２通信装置と、前記第１通信装置を制御する第１制御部と、前記第２通信装置を制御する第２制御部と、を備えた無線通信装置において、前記第１制御部は、前記第１通信装置が通信を開始する際に、前記第１の無線通信方式で規定されている複数の周波数チャネルから、上端の周波数チャネルを第１優先、下端の周波数チャネルを第２優先、他のチャネルを第３優先の優先順で、前記第１通信装置の使用チャネルを決定するとともに、前記第２制御部に、前記第１通信装置が決定した使用チャネルを通知し、前記第２制御部は、前記第２の無線通信方式で規定されている複数の周波数チャネルのうち前記第１通信装置が決定した使用チャネルの周波数帯域とは重複しない前記第２の無線通信方式の周波数チャネルの電波状態を調査し、その結果に基づいて使用チャネルを決定する、という特徴を有する。
【００１４】
この課題を解決するために、第１の無線通信方式で通信を行なう第１通信装置と、前記第１の無線通信方式と使用する周波数帯が重複する第２の無線通信方式で通信を行なう第２通信装置と、前記第１通信装置を制御する第１制御部と、前記第２通信装置を制御する第２制御部と、を備えた無線通信装置において、前記第１制御部は、前記第１通信装置が通信を開始する際に、前記第１の無線通信方式で規定されている複数の周波数チャネルから、上端の周波数チャネルを第１優先、上端から２番目の周波数チャネルを第２優先、下端の周波数チャネルを第３優先、他のチャネルを第４優先の優先順で、前記第１通信装置の使用チャネルを決定するとともに、前記第２制御部に、前記第１通信装置が決定した使用チャネルを通知し、前記第２制御部は、前記第２の無線通信方式で規定されている複数の周波数チャネルのうち前記第１通信装置が決定した使用チャネルの周波数帯域とは重複しない前記第２の無線通信方式の周波数チャネルの電波状態を調査し、その結果に基づいて使用チャネルを決定する、という特徴を有する。
【００１５】
請求項３に記載の無線通信装置は、前記第２制御部は、前記第２通信装置が通信を開始する際に、前記第２通信装置を制御して通信接続を行い、通信接続が完了すると前記第１制御部に前記第２通信装置の通信接続完了を通知し、前記第２制御部から通信接続完了の通知をうけた前記第１制御部は、前記優先順に従って、前記第１通信装置が使用チャネルを変更するとともに、前記第２制御部に、前記第１通信装置が変更した後の使用チャネルを通知し、前記第２制御部は、前記第２の無線通信方式で規定されている複数の周波数チャネルのうち前記第１通信装置が決定した使用チャネルの周波数帯域とは重複しない前記第２の無線通信方式の周波数チャネルの電波状態を調査し、その結果に基づいて使用チャネルを決定する、という特徴を有する。
【発明の効果】
【００１６】
請求項１の発明によれば、第１制御部は、第１通信装置が通信を開始する際に、第１の無線通信方式で規定されている複数の周波数チャネルから第１の無線通信方式の上端の周波数チャネルを第１優先、下端の周波数チャネルを第２優先、他の周波数チャネルを第３優先、の優先順で第１通信装置の使用チャネルを決定するので、第２の無線通信方式で使用可能な周波数チャネル数を最大限確保することができ、第２制御部に、第１通信装置が決定した使用チャネルを通知し、第２制御部は、第２の無線通信方式で規定されている複数の周波数チャネルのうち第１通信装置が決定した使用チャネルの周波数帯域とは重複しない第２の無線通信方式の周波数チャネルの電波状態を調査し、その結果に基づいて使用チャネルを決定するので、第１の無線通信方式と、第２の無線通信方式の通信が、重複する周波数帯域で効率よく共存することができる。
【００１７】
請求項２の発明によれば、第１制御部は、第１通信装置が通信を開始する際に、第１の無線通信方式で規定されている複数の周波数チャネルから第１の無線通信方式の上端の周波数チャネルを第１優先、上端から２番目の周波数チャネルを第２優先、下端の周波数チャネルを第３優先、他の周波数チャネルを第４優先、の優先順で第１通信装置の使用チャネルを決定するので、第２の無線通信方式で使用可能な周波数チャネル数を最大限確保することができ、第２制御部に、第１通信装置が決定した使用チャネルを通知し、第２制御部は、第２の無線通信方式で規定されている複数の周波数チャネルのうち第１通信装置が決定した使用チャネルの周波数帯域とは重複しない第２の無線通信方式の周波数チャネルの電波状態を調査し、その結果に基づいて使用チャネルを決定するので、第１の無線通信方式と、第２の無線通信方式の通信が、重複する周波数帯域で効率よく共存することができる。
【００１８】
請求項３の発明によれば、既に第１の無線通信方式で通信が行なわれている場合であっても、第２制御部は、第２通信装置が通信を開始する際に、第２通信装置を制御して通信接続を行い、通信接続が完了すると第１制御部に第２通信装置の通信接続完了を通知し、第２制御部から通信接続完了の通知をうけた前記第１制御部は、優先順に従って、第１通信装置が使用チャネルを変更するので、第２の無線通信方式で使用可能な周波数チャネル数を最大限確保することができ、第２制御部に、第１通信装置が変更した後の使用チャネルを通知し、第２制御部は、第２の無線通信方式で規定されている複数の周波数チャネルのうち第１通信装置が決定した使用チャネルの周波数帯域とは重複しない第２の無線通信方式の周波数チャネルの電波状態を調査し、その結果に基づいて使用チャネルを決定することで、第１の無線通信方式と、第２の無線通信方式の通信が、重複する周波数帯域で効率よく共存することができる。
【００１９】
以上により、本発明によれば、第１の無線通信方式で使用するチャネルを、第２の無線通信方式に与える影響が少ないチャネルから優先的に選択されるので、第１の無線通信方式と、第２の無線通信方式の通信が、重複する周波数帯域で効率よく共存し、第２の無線通信方式で使用可能な周波数チャネルの数を最大限確保することができる。
【図面の簡単な説明】
【００２０】
【図１】本発明の実施形態に係る無線通信装置のブロック図である。
【図２】実施形態に係る無線通信装置の動作を説明するための図である。
【図３】無線通信方式による周波数チャネル配置を示す図である。
【図４】実施形態に係る無線通信装置の第１制御部と第２制御部の接続手順である。
【図５】実施形態に係る無線通信装置の第１制御部のチャネル移行制御手順である。
【図６】従来技術の無線通信装置
【発明を実施するための形態】
【００２１】
［第１実施形態］
以下に第１実施形態における無線通信装置１００について説明する。
【００２２】
まず始めに本実施形態における無線通信装置１００の構成について図１を用いて説明する。図１は無線通信装置１００の構成を示すブロック図である。
【００２３】
無線通信装置１００は、図１に示すように、第１通信装置１と、第２通信装置２と、第１通信装置１を制御する第１制御部３と、第２無線通信装置を制御する第２制御部４と、を備えている。
【００２４】
図２は無線通信装置１００の動作を説明するための図である。図２に示すように、無線通信装置１００は、図示しないインターフェース部を経由して、無線通信装置１００に接続されているホスト装置２０と、第１の無線通信方式で通信するデータおよび、第２の無線通信方式で通信するデータの受け渡しを行ない、第１の無線通信方式で通信を行なう第１の外部通信装置３０と通信を行なうことができるとともに、第２の無線通信方式で通信を行なう第２の外部通信装置４０と通信を行なうことができる。
【００２５】
第１制御部３は、送受信を行う第１通信装置１の送信データを、図示しないインターフェース部からを受けとり、第１通信装置１に出力し、第１通信装置１から受けとる受信データを、インターフェース部に出力するとともに、第１通信装置１を、第１の無線通信方式の通信手順に従って、送受信周波数や通信速度の制御を行なう。
【００２６】
第１通信装置１は、第１制御部３によって制御され、第１の無線通信方式で通信を行なう第１の外部通信装置３０と通信を行ない、第１制御部３から受けとった送信データを、無線通信信号に変換して、第１の外部通信装置３０へ送信し、第１の外部通信装置３０から送信された無線通信信号を受信し、受信データに変換して第１制御部３へ出力する。
【００２７】
第２制御部４は、送受信を行う第２通信装置２の送信データを、図示しないインターフェース部からを受けとり、第２通信装置２に出力し、第２通信装置２から受けとる受信データを、インターフェース部に出力するとともに、第２通信装置２を、第２の無線通信方式の通信手順や通信手順に従って、送受信周波数や通信速度の制御を行なう。
【００２８】
第２通信装置２は、第２制御部４によって制御され、第２の無線通信方式で通信を行なう第２の外部通信装置４０と通信を行ない、第２制御部４から受けとった送信データを、無線通信信号に変換して、第２の外部通信装置４０へ送信し、第２の外部通信装置４０から送信された無線通信信号を受信し、受信データに変換して第２制御部４へ出力する。
【００２９】
図３は、第１の無線通信方式としてＩＥＥＥ８０２．１１ｂ／ｇ／ｎ規格のＷＬＡＮと、第２の無線通信方式としてＢｌｕｅｔｏｏｔｈ（登録商標）規格の、それぞれの無線通信方式の周波数チャネルの対応関係を示した図である。
【００３０】
図３に示すように、Ｂｌｕｅｔｏｏｔｈ（登録商標）規格の周波数チャネルは全部で７９個あるが、ＢＴ装置の通信範囲でＷＬＡＮの通信が行なわれると、ＷＬＡＮ装置がＷＬＡＮの１４ｃｈで通信を行なった場合、Ｂｌｕｅｔｏｏｔｈ（登録商標）の周波数チャネルのうち、８ｃｈ分がＷＬＡＮの干渉をうける。
【００３１】
また、ＷＬＡＮ装置がＷＬＡＮの１３ｃｈで通信を行なった場合、Ｂｌｕｅｔｏｏｔｈ（登録商標）の周波数チャネルのうち、２０ｃｈ分がＷＬＡＮの干渉をうけ、ＷＬＡＮ装置がＷＬＡＮの１ｃｈで通信を行なった場合、Ｂｌｕｅｔｏｏｔｈ（登録商標）の周波数チャネルのうち、２２ｃｈ分がＷＬＡＮの干渉をうけ、ＷＬＡＮ装置がＷＬＡＮの２ｃｈから１２ｃｈのいずれかの周波数チャネルで通信を行なった場合、Ｂｌｕｅｔｏｏｔｈ（登録商標）の周波数チャネルのうち、２３ｃｈ分がＷＬＡＮの干渉をうける。
【００３２】
次に、無線通信装置１００の動作について、図４および図５を用いて説明する。
【００３３】
図４は、無線通信装置１００の第１制御部３が第１通信装置１を制御し、図２に示した第１の外部通信装置３０と通信接続を行ない、第２制御部４が第２通信装置２を制御し、図２に示した第２の外部通信装置４０と通信接続を行なう際の、接続制御手順を示したフローチャートである。
【００３４】
図４に示すように、第１制御部３は、第１通信装置１が通信接続を行なう際に、まず、日本で第１の無線通信方式に割当てられている周波数チャネルのうち上端の周波数チャネルである１４ｃｈでの通信接続可否を確認するため、１４ｃｈの使用の有無を第１通信装置１のキャリアセンス機能等で確認し、１４ｃｈが使用可能と判断される場合、１４ｃｈで、第１の外部通信装置３０と、通信接続を行なう。
【００３５】
１４ｃｈが他の無線通信に使用されていると判断された場合や、通信相手が１４ｃｈに対応しておらず１４ｃｈで通信接続できない場合は、日本以外で割当てられている周波数チャネルのうち上端の周波数チャネルである１３ｃｈでの通信接続可否を確認するため、１３ｃｈの使用の有無を第１通信装置１のキャリアセンス機能等で確認し、１３ｃｈが使用可能と判断される場合、１３ｃｈで、第１の外部通信装置３０と、通信接続を行なう。
【００３６】
１３ｃｈが他の無線通信に使用されていると判断された場合は、割当てられている下端の周波数チャネルである１ｃｈでの通信接続可否を確認するため、１ｃｈの使用の有無を第１通信装置１のキャリアセンス機能等で確認し、１ｃｈが使用可能と判断される場合、１ｃｈで、第１の外部通信装置３０と通信接続を行なう。
【００３７】
１ｃｈが他の無線通信に使用されていると判断された場合は、２ｃｈから１２ｃｈの通信接続可否を確認し、２ｃｈから１２ｃｈのうち通信接続可能な周波数チャネルで、第１の外部通信装置３０と通信接続を行なう。
【００３８】
第１制御部３は、第１の外部通信装置３０との通信接続が完了したら、通信接続の有無を表す情報、通信接続している周波数チャネルの情報を含んだ接続情報を、第２制御部４へ通知する。
【００３９】
第２制御部４は、第２通信装置２が通信接続を行なう際には、まず第１制御部３から通知された接続情報を取得し、第１通信装置１の通信接続の有無および、通信接続している周波数チャネルの情報を得る。
【００４０】
第１通信装置１の通信接続の有無および、通信接続している周波数チャネルの情報から、第１通信装置１が通信接続されていない場合、第２制御部は第２の無線通信方式の１ｃｈから７９ｃｈまでのすべての周波数チャネルの状態を確認し、通信状態が良好と判断された周波数チャネルを用いて、第２の外部通信装置４０と通信接続を行なう。
【００４１】
第１通信装置１の通信接続の有無および、通信接続している周波数チャネルの情報から、第１通信装置が通信接続されており、第１の無線通信方式の１４ｃｈで通信接続している場合、第２制御部４は第１通信装置が使用している１４ｃｈと帯域が重なる第２の無線通信方式の７２ｃｈから７９ｃｈを除いた、１ｃｈから７１ｃｈまでの７１ｃｈ分すべての周波数チャネルの状態を確認し、通信状態が良好と判断された周波数チャネルを用いて、第２の外部通信装置４０と通信接続を行なう。
【００４２】
第１通信装置１の通信接続の有無および、通信接続している周波数チャネルの情報から、第１通信装置１が通信接続されており、第１の無線通信方式の１３ｃｈで通信接続している場合、第２制御部４は第１通信装置が使用している１３ｃｈと帯域が重なる第２の無線通信方式の６０ｃｈから７９ｃｈを除いた、１ｃｈから５９ｃｈまでの、５９ｃｈ分すべての周波数チャネルの状態を確認し、通信状態が良好と判断された周波数チャネルを用いて、第２の外部通信装置４０と通信接続を行なう。
【００４３】
第１通信装置１の通信接続の有無および、通信接続している周波数チャネルの情報から、第１通信装置１が通信接続されており、第１の無線通信方式の１ｃｈで通信接続している場合、第２制御部４は第１通信装置が使用している１ｃｈと帯域が重なる第２の無線通信方式の１ｃｈから２２ｃｈを除いた、２３ｃｈから７９ｃｈまでの、５７ｃｈ分すべての周波数チャネルの状態を確認し、通信状態が良好と判断された周波数チャネルを用いて、第２の外部通信装置４０と通信接続を行なう。
【００４４】
第１通信装置１の通信接続の有無および、通信接続している周波数チャネルの情報から、第１通信装置１が通信接続されており、第１の無線通信方式の２ｃｈから１２ｃｈのいずれかの周波数チャネルで通信接続している場合、第２制御部４は第１通信装置が使用している周波数チャネルと帯域が重なる第２の無線通信方式の２３ｃｈ分を除いた、５６ｃｈ分すべての周波数チャネルの状態を確認し、通信状態が良好と判断された周波数チャネルを用いて、第２の外部通信装置４０と通信接続を行なう。
【００４５】
第２制御部４は、第２の外部通信装置４０との通信接続が完了したら、接続完了を表す情報を含んだ接続情報を、第１制御部３へ通知する。
【００４６】
図５は、第１制御部３が、第２制御部４から第２通信装置２の接続完了の通知を受けた際に、第１通信装置１が通信を行なっている周波数チャネルを変更する、チャネル移行制御手順を示したフローチャートである。
【００４７】
図５に示すように、第１制御部３が第２制御部４から第２通信装置２の接続完了の通知を受けた場合、第１制御部３は、まず第１通信装置１の接続情報を取得し、第１通信装置１の通信接続の有無および、通信接続している周波数チャネルの情報を得る。
【００４８】
第１通信装置１の通信接続の有無および、通信接続している周波数チャネルの情報から、第１通信装置１が通信接続されていない場合、制御を行なわず、第１通信装置１の接続情報を更新し、第２制御部４へ通知する。
【００４９】
第１通信装置１の通信接続の有無の情報から、第１通信装置１が通信接続されている場合、まず、日本で第１の無線通信方式に割当てられている周波数チャネルのうち、上端の周波数チャネルである１４ｃｈへの移行可否を確認するため、１４ｃｈの使用の有無を第１通信装置１のキャリアセンス機能等で確認し、１４ｃｈが使用可能と判断される場合、１４ｃｈへ移行して、第１の外部通信装置３０と通信接続を行なう。
【００５０】
１４ｃｈが他の無線通信に使用されていると判断された場合や、通信相手が１４ｃｈに対応しておらず１４ｃｈへ移行できない場合は、日本以外で割当てられている上端の周波数チャネルである１３ｃｈへの移行可否を確認するため、１３ｃｈの使用の有無を第１通信装置１のキャリアセンス機能等で確認し、１３ｃｈが使用可能と判断される場合、１３ｃｈへ移行して、第１の外部通信装置３０と通信接続を行なう。
【００５１】
１３ｃｈが他の無線通信に使用されていると判断された場合は、割当てられている下端の周波数チャネルである１ｃｈへの移行可否を確認するため、１ｃｈの使用の有無を第１通信装置１のキャリアセンス機能等で確認し、１ｃｈが使用可能と判断される場合、１ｃｈへ移行して、第１の外部通信装置３０と通信接続を行なう。
【００５２】
１ｃｈが他の無線通信に使用されていると判断された場合は、移行処理を行なわない。
【００５３】
通信接続チャネルの移行処理を行なった場合も、行なわなかった場合も、第１制御部３は、第１通信装置１の接続情報を更新し、第２制御部４へ通知する。
【００５４】
第２制御部４は、第１制御部３から通知された接続情報に基づいて、先に述べた、図４に示した第２制御部４の接続制御手順に基づいて、第２の外部通信装置４０と通信接続を行なう。
【００５５】
以上のように、本発明の第１実施形態の無線通信装置１００によれば、第１の無線通信方式で無線通信を行なう第１通信装置１が通信を開始する際、第１制御部３は、第１の無線通信方式の周波数チャネルのうち上端の周波数チャネル（１４ｃｈまたは１３ｃｈ）を第１優先、下端の周波数チャネル（１ｃｈ）を第２優先、他の周波数チャネルを第３優先、とする優先順に従って、使用する周波数チャネルを決定するよう制御をおこなうので、第２の無線通信方式で使用できる第２の無線通信方式のチャネル数を最大限多く確保できる。
【００５６】
また、第２制御部４に、第１通信装置１が決定した使用チャネルを通知し、第２制御部４は、第１通信装置１が決定した使用チャネルの周波数帯域外で、第２の無線通信方式の周波数チャネルの電波状態を調査し、その結果に基づいて使用チャネルを決定するので、第１の無線通信方式の通信と、第２の無線通信方式の通信が干渉することなく、重複する周波数帯域で効率よく共存し、第２の無線通信方式で使用可能な周波数チャネル数を最大限確保することができる。
【００５７】
以上のように、本発明の実施形態の無線通信装置１００によれば、第１の無線通信方式で通信を行なう第１通信装置１が、第２の無線通信方式で通信を行なう第２通信装置２が使用可能な周波数チャネル数を最大限確保することができる無線通信装置を提供することができる。
【００５８】
以上のように、本発明の実施形態に係る無線通信装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５９】
（１）第１の無線通信方式として、ＩＥＥＥ８０２．１１ｂ／ｇ／ｎ規格のＷＬＡＮを、また第２の無線通信方式として、Ｂｌｕｅｔｏｏｔｈ（登録商標）を例示して説明を行なったが、２．４ＧＨｚ帯を使用するコードレス電話等、他の無線通信方式も用いる事ができる。
【００６０】
（２）ＩＳＭバンドとして２．４ＧＨｚ帯を例示して説明を行なったが、２．４ＧＨｚ帯以外のＩＳＭバンドおよび、その周波数帯で使用される複数の無線通信方式に置き換えて実施することができる。
【符号の説明】
【００６１】
１      第１通信装置
２      第２通信装置
３      第１制御部
４      第２制御部
２０    ホスト装置
３０    第１の外部通信装置
４０    第２の外部通信装置
１００  無線通信装置
【図１】
0005794538.tif 000002
【図２】
0005794538.tif 000003
【図３】
0005794538.tif 000004
【図４】
0005794538.tif 000005
【図５】
0005794538.tif 000006
【図６】
0005794538.tif 000007